(57)【要約】【課題】構造が簡単で楕円形を描くようにペダリング運動ができるエクササイザを提供する。【解決手段】第１シャフトの端縁部に連結して第１シャフトとともに回転し、第１シャフトの他端と外周面との間にクラフトの一端を接続する大ギヤと、第２シャフトの一端に連結し、第２シャフトの他端にクランプの一端が連結しているため、第２シャフトを介してクランプを回動自在に接続し、外周面とクランプとの間にクランクの他端を接続してクランクの両端がそれぞれ第１シャフトと第２シャフトに連結し、第２シャフト、クランクとともに第１シャフトを中心に回転し、第１シャフトに連動する小ギヤと、一端がペダルシャフトを介してクランプに接続し、運動者がペダルを漕ぐと小ギヤが駆動してクランプ、クランクが第１シャフトに沿って楕円形のルートを描くように回転するペダルとを含んでなる。【選択図】図６
0003122377.tif 000002
【実用新案登録請求の範囲】
【請求項１】
大ギヤと、小ギヤと、ペダルなどとを含んでなり、
該大ギヤは、第１シャフトに連結して該第１シャフトに合わせて回転し、該第１シャフトの他端と大ギヤの外周面との間に長い棒状を呈するクラフトの一端を回動自在に接続し、
小ギヤは、第２シャフトの一端に連結し、該第２シャフトの他端にクランプの一端を連結し、該クランプの一端が第２シャフトを介して小ギヤの外周面に回動自在に接続し、小ギヤの外周面とクランプに連結する第２シャフトの他端との間に位置するようにクランクの他端を回動自在に接続するため、該クランクの両端がそれぞれ第１シャフトと第２シャフトに連結し、第２シャフト、クランクとともに第１シャフトを中心に回転し、第１シャフトに連動し、
該ペダルは一端がペダルシャフトを介してクランプに回動自在に接続し、運動者がペダルを漕ぐと小ギヤが駆動してクランプ及びクランクが第１シャフトに沿って楕円形のルートを描くように回転することを特徴とするエクササイザ。
【請求項２】
前記第１シャフトは、骨フレームを支持し、第１シャフトの両端縁部が骨フレームから外側に突出して設けられ、骨フレームの上方に人が座れるようなシートを設けることができることを特徴とする請求項１に記載するエクササイザ。
【請求項３】
前記大ギヤと小ギヤはクランクを介して接続し、回転することを特徴とする請求項１に記載するエクササイザ。
【請求項４】
前記大ギヤと小ギヤは、スプロケットからなり、クラフトがチェーンであることを特徴とする請求項３に記載するエクササイザ。
【請求項５】
前記大ギヤは、骨フレームとクラフトとの間に位置し、大ギヤの中心に第１シャフトを垂直に設けることを特徴とする請求項３に記載するエクササイザ。
【請求項６】
前記大ギヤと小ギヤは外径の比率が２：１であることを特徴とする請求項１に記載するエクササイザ。
【請求項７】
前記クランプは第２シャフトとともに回転し、クランプと第２シャフトの回転方向は第１シャフトと逆になることを特徴とする請求項１に記載するエクササイザ。
【請求項８】
前記クランプの長さは第２シャフトと第１シャフトの間の距離よりも小さくなることを特徴とする請求項１に記載するエクササイザ。
【請求項９】
前記クランプの長さは、２〜１０インチであることを特徴とする請求項８に記載するエクササイザ。
【請求項１０】
前記小ギヤと大ギヤは同一直線上に対向して設けられることを特徴とする請求項４に記載するエクササイザ。
【請求項１１】
前記クランプは適宜な距離に複数の位置決め部材を形成し、該位置決め部材はペダルシャフトを連結する位置を選択するために供することを特徴とする請求項１に記載のエクササイザ。
【請求項１２】
前記位置決め部材は、孔状を呈することを特徴とする請求項１１に記載のエクササイザ。
【請求項１３】
前記小ギヤと大ギヤは、皮のベルトを具えた回転体からなり、伝動ベルトは皮のベルトであることを特徴とする請求項３に記載するエクササイザ。
【請求項１４】
前記大ギヤは骨フレームとクラフトの間に位置するように設けることを特徴とする請求項２に記載するエクササイザ。
【請求項１５】
前記骨フレームの両端縁部には、それぞれ大ギヤと小ギヤ、伝動ベルトのセットを設けることを特徴とする請求項２もしくは３に記載するエクササイザ。
【請求項１６】
前記クラフトは長い棒状を呈してなることを特徴とする請求項１に記載するエクササイザ。
【考案の詳細な説明】
【技術分野】
【０００１】
この考案は、エクササイザに関し、特に運動者が立った状態でペダリング運動を行うエクササイザに関する。
【背景技術】
【０００２】
商業活動に忙しい現代の社会では、運動する時間や場所などが制限されるため、室内で使用することができるさまざまな形式のエクササイザが販売されている。
【０００３】
しかしながら、多くのエクササイザは、体を振り動かす運動をさまざまに変化させた使用形態のものが殆どである。例えば、固定された場所で歩行、もしくは走る運動ができるエクササイザ、もしくは足を上下に動かして山登りをするような運動をすることができるエクササイザや、立った状態でペダリング運動ができるエクササイザなどがある。
【０００４】
しかしながら、現在、開発されているエクササイザはさらに複雑な運動形態か、もしくは人間工学にさらに近づいた運動効果を具えてなる。これらのエクササイザはいくつかの簡単な動作を模して連結して運動する。例えば、エクササイザの伝導形態を円周運動に設計するか、もしくは複雑な楕円形を描くような運動に設計する。即ち、足を上下に動かす足を楕円形に回転させてペダリング運動を行う器具、もしくは楕円形に交差させて足を訓練する器具などがある。
【０００５】
楕円形を描くようにペダリング運動をするエクササイザ、もしくは足を交差させるように訓練するエクササイザなどの足を乗せるペダルや踏み台は円を描くように動くだけでなく、上下に動かすこともできる。楕円形を描くように運動するエクササイザの踏み板は伝動装置を駆動して楕円形を描くように動く。即ち、空中で走っているか、歩いているかのようである。このような楕円形を描くか、楕円形に近い形状の曲線運動では、形状を描くラインが通常、長軸線と短軸線とを具えてなる。楕円形を描くように運動するエクササイザではアメリカ合衆国特許第６，１９６，９４８号、第６，０９３，００８号、第６，０４５，４８７号、第６，５４４，１４６号、第６，３４０，３４０６号、第５，８９７，４６３号、第５，９５７，８１４号などがある。
【０００６】
エクササイザの使用に当たって運動者は、これらの器材が占める空間を最低に抑えることができるかどうか、簡単に収納できるかどうかを気にかける。このような商業的、人間的な考えは、設計が融合できるかどうかにまで関係する。
【０００７】
しかしながら、前述のエクササイザの構造は前述の運動者が気にかける点を改良することができない。なぜなら、楕円形を描くような運動をするためのペダルは周辺装置と連結しているため、構造が非常に複雑である。よって、運動する際に快適で、運動量を調整でき、占有空間を縮小することができ、構造が簡単なエクササイザの開発が望まれている。
【特許文献１】アメリカ合衆国特許公告第６，１９６，９４８号公報
【特許文献２】アメリカ合衆国特許公告第６，０９３，００８号公報
【特許文献３】アメリカ合衆国特許公告第６，０４５，４８７号公報
【特許文献４】アメリカ合衆国特許公告第６，５４４，１４６号公報
【特許文献５】アメリカ合衆国特許公告第６，３４０，３４０６号公報
【特許文献６】アメリカ合衆国特許公告第５，８９７，４６３号公報
【特許文献７】アメリカ合衆国特許公告第５，９５７，８１４号公報
【考案の開示】
【考案が解決しようとする課題】
【０００８】
この考案は構造が簡単で楕円形を描くようにペダリング運動ができるエクササイザを提供することを課題とする。
【課題を解決するための手段】
【０００９】
そこで、本発明者は従来の技術に見られる欠点に鑑みて鋭意研究を重ねた結果、大ギヤと、小ギヤと、ペダルなどとを含んでなり、該大ギヤは、第１シャフトに連結して該第１シャフトに合わせて回転し、該第１シャフトの他端と大ギヤの外周面との間に長い棒状を呈するクラフトの一端を回動自在に接続し、小ギヤは、第２シャフトの一端に連結し、該第２シャフトの他端にクランプの一端を連結し、該クランプの一端が第２シャフトを介して小ギヤの外周面に回動自在に接続し、小ギヤの外周面とクランプに連結する第２シャフトの他端との間に位置するようにクランクの他端を回動自在に接続するため、該クランクの両端がそれぞれ第１シャフトと第２シャフトに連結し、第２シャフト、クランクとともに第１シャフトを中心に回転し、第１シャフトに連動し、該ペダルは一端がペダルシャフトを介してクランプに回動自在に接続し、運動者がペダルを漕ぐと小ギヤが駆動してクランプ及びクランクが第１シャフトに沿って楕円形のルートを描くように回転するエクササイザの構造によって本発明の課題を解決できる点に着眼し、かかる知見に基づいて本発明を完成させた。
以下、この発明について具体的に説明する。
【００１０】
請求項１に記載するエクササイザは、大ギヤと、小ギヤと、ペダルなどとを含んでなり、該大ギヤは、第１シャフトに連結して該第１シャフトに合わせて回転し、該第１シャフトの他端と大ギヤの外周面との間に長い棒状を呈するクラフトの一端を回動自在に接続し、小ギヤは、第２シャフトの一端に連結し、該第２シャフトの他端にクランプの一端を連結し、該クランプの一端が第２シャフトを介して小ギヤの外周面に回動自在に接続し、小ギヤの外周面とクランプに連結する第２シャフトの他端との間に位置するようにクランクの他端を回動自在に接続するため、該クランクの両端がそれぞれ第１シャフトと第２シャフトに連結し、第２シャフト、クランクとともに第１シャフトを中心に回転し、第１シャフトに連動し、該ペダルは一端がペダルシャフトを介してクランプに回動自在に接続し、運動者がペダルを漕ぐと小ギヤが駆動してクランプ及びクランクが第１シャフトに沿って楕円形のルートを描くように回転する。
【００１１】
請求項２に記載するエクササイザは、請求項１における第１シャフトが、骨フレームを支持し、第１シャフトの両端縁部が骨フレームから外側に突出して設けられ、骨フレームの上方に人が座れるようなシートを設けることができる。
【００１２】
請求項３に記載するエクササイザは、請求項１における大ギヤと小ギヤが、クランクを介して接続し、回転する。
【００１３】
請求項４に記載するエクササイザは、請求項３における大ギヤと小ギヤが、スプロケットからなり、クラフトがチェーンである。
【００１４】
請求項５に記載するエクササイザは、請求項３における大ギヤが、骨フレームとクラフトとの間に位置し、大ギヤの中心に第１シャフトを垂直に設ける。
【００１５】
請求項６に記載するエクササイザは、請求項１における大ギヤと小ギヤが、外径の比率が２：１である。
【００１６】
請求項７に記載するエクササイザは、請求項１におけるクランプが、第２シャフトとともに回転し、クランプと第２シャフトの回転方向は第１シャフトと逆になる。
【００１７】
請求項８に記載するエクササイザは、請求項１におけるクランプの長さが、第２シャフトと第１シャフトの間の距離よりも小さくなる。
【００１８】
請求項９に記載するエクササイザは、請求項８におけるクランプの長さが、２〜１０インチである。
【００１９】
請求項１０に記載するエクササイザは、請求項４における小ギヤと大ギヤが、同一直線上に対向して設けられる。
【００２０】
請求項１１に記載するエクササイザは、請求項１におけるクランプが、適宜な距離に複数の位置決め部材を形成し、該位置決め部材はペダルシャフトを連結する位置を選択するために供する。
【００２１】
請求項１２に記載のエクササイザは、請求項１１における位置決め部材が、孔状を呈する。
【００２２】
請求項１３に記載のエクササイザは、請求項３における小ギヤと大ギヤが、皮のベルトを具えた回転体からなり、伝動ベルトは皮のベルトである。
【００２３】
請求項１４に記載するエクササイザは、請求項２における大ギヤが骨フレームとクラフトの間に位置するように設ける。
【００２４】
請求項１５に記載するエクササイザは、請求項２もしくは３における骨フレームの両端縁部には、それぞれ大ギヤと小ギヤ、伝動ベルトのセットを設ける。
【００２５】
請求項１６に記載するエクササイザは、請求項１におけるクラフトが、長い棒状を呈してなる。
【考案の効果】
【００２６】
この考案は、構造が簡単で部品が少ないため、製造コストを削減できるとともに、体積が比較的小さいため、収納に便利で、占有空間が小さく、それぞれの部品の接続関係が簡単なため壊れにくいという効果を有する。
【００２７】
また、この考案のエクササイザは、部品を調節してペダルを漕いで形成される楕円形の形状を変更することにより負荷を調節することができる効果を有する。
【考案を実施するための最良の形態】
【００２８】
この考案は、構造が簡単で楕円形を描くようにペダリング運動ができるエクササイザをであって、大ギヤと、小ギヤと、ペダルなどとを含んでなり、該大ギヤは、第１シャフトに連結して該第１シャフトに合わせて回転し、該第１シャフトの他端と大ギヤの外周面との間に長い棒状を呈するクラフトの一端を回動自在に接続し、小ギヤは、第２シャフトの一端に連結し、該第２シャフトの他端にクランプの一端を連結し、該クランプの一端が第２シャフトを介して小ギヤの外周面に回動自在に接続し、小ギヤの外周面とクランプに連結する第２シャフトの他端との間に位置するようにクランクの他端を回動自在に接続するため、該クランクの両端がそれぞれ第１シャフトと第２シャフトに連結し、第２シャフト、クランクとともに第１シャフトを中心に回転し、第１シャフトに連動し、該ペダルは一端がペダルシャフトを介してクランプに回動自在に接続し、運動者がペダルを漕ぐと小ギヤが駆動してクランプ及びクランクが第１シャフトに沿って楕円形のルートを描くように回転する。
係る構成のエクササイズの構造について、その構造と特徴を詳述するために具体的な実施例を挙げ、以下に説明する。
【実施例】
【００２９】
図１に、この考案のエクササイザでペダリング運動を行う場合に描かれる楕円形を開示する。該楕円形１１の定義は、１本の長い主軸線１２と、長さが主軸線１２よりも短い副軸線１３とを具えてなる。この考案のエクササイザではペダリング運動が図１に開示するような主軸線１２と副軸線１３から形成される楕円形を描いて行われる。該主軸線１２は長さが１６〜２４インチの間に形成され、好ましい長さは２０インチである。また、該副軸線１３は、長さが２〜８インチの間に形成され、好ましい長さは４インチである。
【００３０】
図２に、エクササイザの側面に設けられる伝動装置を開示する。図３に開示するように、該伝動装置はエクササイザの両側に設けられる。図２では、エクササイザの一方の側面しか開示しないが、楕円形を描いて交差訓練するエクササイザ、もしくは楕円形を描いてペダリング運動を行うエクササイザのいずれも両足でペダルを漕いで操作することは周知の技術である。よって、エクササイザの両側は、対称になるように設けられる。図３では、左足のペダルが低く、右足のペダルが高い位置にある場合を開示する。また、両側の部品の位置関係は、符号によって知ることができる。
【００３１】
図２、３の実施例に開示するように、エクササイザは、骨フレーム２１を設けてなり、該骨フレーム２１は上方に運動者が座るようにシートを設計することができる。該骨フレーム２１は、第１シャフト２８を設けてなり、該第１シャフト２８の両端は骨フレーム２１から外側に突き出して、それぞれ大ギヤ２２、２２’を回動自在に設けてなるか、もしくは骨フレーム２１に支持部２１１、２１１’を設け、該支持部２１１、２１１’を第１シャフト２８、２８’に連結させて、該第１シャフト２８が骨フレーム２１から突出するように形成し、その両端縁部にそれぞれ大ギヤ２２、２２’を回動自在に設ける。前述の２つの方法はいずれも、第１シャフト２８が骨フレーム２１に支持されて連結することによって、第１シャフト２８が骨フレーム２１に連結する。
【００３２】
第１シャフト２８は連結した大ギヤの隣の末端にそれぞれクランク２７、２７’を回動自在に設ける。該クランク２７、２７’は桿体もしくは棒状、板状、もしくは薄い板状、もしくはそれらを組み合わせたものからなり、一端が大ギヤ２２、２２’の外周の外側に接続し、他端がそれぞれ第２シャフト２４、２４’に接続する。該第２シャフト２４、２４’の軸方向と第１シャフト２８は平行で、且つ第２シャフト２４、２４’は一端がそれぞれ小ギヤ２３、２３’に固定して設けられる。該小ギヤ２３、２３’と大ギヤ２２、２２’は同一直線上に対向して設けられ、それぞれの伝動ベルト２９、２９’を介して大ギヤ２２と小ギヤ２３、大ギヤ２２’と小ギヤ２３’が連動するように設ける。また、大ギヤ２２、２２’と小ギヤ２３、２３’の外径比率は２：１になる。
【００３３】
第２シャフト２４、２４’は、小ギヤ２３、２３’に対して立設するように設けられ、該小ギヤ２３、２３’に接続した端縁部に対向する一端には、それぞれクランプ３１、３１’を回動自在に接続する。該クランプ３１、３１’の他端はそれぞれペダルシャフト２６、２６’を介してそれぞれのペダル２５、２５’を回動自在に接続する。よって、両側のクランプ３１、３１’とペダル２５、２５’はペダルシャフト２６の第２シャフト２４’に対する位置と、ペダルシャフト２６’の第２シャフト２４’に対する位置が第１シャフト２８に対して逆になる。即ち、ペダル２５が低い位置にある場合、ペダルシャフト２６’が高い位置にある。しかしながら、いずれも運動者がペダル２５、２５’を漕いでクランプ３１、３１’を駆動させると、第２シャフト２４、２４’、小ギヤ２３、２３’が回転し、伝動ベルト２９、２９’により大ギヤ２２、２２’が回転する。クランク２７、２７’が回転する方向はクランプ３１、３１’と反対方向になる。即ち、クランク２７、２７’が時計回りに回転する場合、クランプ３１、３１’が反時計回りに回転する。
【００３４】
前述の大ギヤ２２、２２’と小ギヤ２３、２３’は、図ではスプロケットを開示し、伝動ベルト２９、２９’はチェーンとして開示している。しかし、大ギヤ２２、２２’と小ギヤ２９、２９’は歯車、もしくは皮のベルトを具えた回転体、もしくはローラーとしてもよく、伝動ベルト２９、２９’は歯型を刻んだ皮のベルト、皮のベルト、もしくはワイヤーなどでもよい。即ち、こられはいずれも簡単に変えることができる周知の技術で、第１シャフト２８、２８’と第２シャフト２４、２４’の軸心の運動方向を逆にすることができればよい。即ち、前述のクランク２７、２７’の回転方向がクランプ３１、３１’と逆方向になる。
【００３５】
また、ペダル２５、２５’はペダルシャフト２６、２６’に対して回転し、ペダル２５、２５’はクランプ３１、３１’に回動自在に接続する。よって、運動者の足部がペダル２５、２５’を駆動させると、クランプ３１、３１’が回転する。また、クランク２７、２７’は第１シャフト２８に回動自在に接続するため、第２シャフト２４、２４’も第１シャフト２８、２８’を中心として回転して運動者の足部がペダル２５、２５’を漕ぐと、楕円形のルート３２に沿って回転運動する。
【００３６】
図４に、エクササイザが作動した場合の片側の状態を開示する。ａの位置の場合、クランク２７上の第２シャフト２４が最低点にある。また、クランプ３１はクランク２７、２７’の長さ方向、即ちクランプ３１がクランク２７の上方に重なるように位置し、ペダルシャフト２６が第１シャフト２８の軸端と第２シャフト２４の間に位置する。図３、図４に開示するように、ペダルシャフト２６がちょうどペダル２５と同じ所に位置し、即ち、楕円形のルート３２の短軸線の下方の最低点になる。
【００３７】
ｂの位置の場合、クランク２７が第１シャフト２８を支点としてクランプ３１、小ギヤ２３とともに回転して楕円形のルート３２の４分の１の弧をの所に達する。ペダル２５のクランプ３１は第２シャフト２４を支点にして外側に延伸するように位置し、第２シャフト２４の位置がペダルシャフト２６と第１シャフト２８の間に位置する。この場合、楕円形のルート３２の長軸方向の右側の端縁部に位置する。
【００３８】
前述のことから、ｃの位置の場合、クランク２７が第１シャフト２８を支点とし、ａの位置から見て１８０度回転する。ａの位置と同じくクランプ３１がクランク３１に重なる位置にあるため、ペダルシャフト２６が第１シャフト２８に比較的近い場所に位置して、且つペダルシャフト２６が楕円形のルート３２の上方の短軸線に位置する。
【００３９】
同じ原理から、クランク２７が回転してｄの位置ににある場合、ペダルシャフト２６は第２シャフト２４を支点として外側に延伸するようになり、ペダルシャフト２６が楕円形のルート３２の長軸線の左側の端縁部に位置し、続けて運動者がペダル２５を漕ぐとａの位置に戻る。前述のようにペダル２５はクランク２７を介して楕円形を描くようにスムーズに動くことができる。
【００４０】
図５に、クランプ３１の長さを変えた場合の楕円形のルート３２を開示する。図面によれば、クランプ３１上に複数の位置決め部材３３を形成し、該クランプ３１上の異なる位置に形成された位置決め部材３３の内、どの位置決め部材３３にペダルシャフト２６を設けるかにより、楕円形のルートの大きさを変えることができる。図５に開示する楕円形のルート３２は、図４に比べて長軸線が長く、短軸が短く形成される。また、クランク２７の長さを変更するなどして楕円形のルート３２の大きさを変更することもできる。
【００４１】
図４、図５に開示するように、ｄの位置にあるペダルシャフト２６からａの位置にある第２シャフト２４の間の距離をＬ１とし、ａの位置のクランプ３１の第２シャフト２４からクランプペダルシャフト２６の間の距離をＬ２とすると、Ｌ１からＬ２を引いたものが楕円形のルート３２の短軸の半分の距離に相当する（即ち、図１に開示する副軸線１３の半分の長さ、副軸線の外周から中心点までの距離に相当する）。また、Ｌ１にＬ２を加えると、楕円形のルート３２の長軸線の距離の半分に相当する（即ち、図１に開示する主軸線１２の半分の長さで、主軸線の外周から中心点までの距離に相当する）。よって、前述の距離を変更することは、楕円形のルート３２の副軸線の長さを長くもしくは短くするか、もしくは主軸線の長さを長く、もしくは短く変更することに相当する。即ち、この考案のエクササイザは、部品の長さを変化させることにより、異なる楕円形のルート３２を形成することができるため、変化性に富んだ運動の効果を提供することができ、多様性を具えている。
【００４２】
前述のように、この考案のエクササイザはクランプ３１の長さをクランク２７の長さよりも短く、即ち、クランク２７の端縁部に設けられた第１シャフト２８と第２シャフト２４の間の距離よりも短く形成し、クランク２７とクランプ３１の長さの変化に合わせることは、ペダル２５を漕ぐことにより形成される楕円形のルート３２を変更することができるため、運動の効果を調整することができる。
【００４３】
しかしながら、好ましい楕円形のルートの範囲に合わせるため、クランク２７の長さは４〜１０インチで調整することが望ましく、特に６〜８インチの間が望ましい。また、クランプ３１の長さは２〜１０インチで調整し、特に４〜８インチの間が望ましい。よって、前述のように相対的に比率を調整する場合、クランプを楕円形のルートに合わせて長さを長くして、クランク２７を少し短く形成することで、小型で軽量のエクササイザにすることができるため、運動者によって実用的である。
【００４４】
図５に、この考案の実施例ではペダルが楕円形を描いて回転するエクササイザを開示する。図面によれば、エクササイザ５０は、ハンドル５３を設けてなり、両方のハンドル５３の上方の位置に該ハンドル５３に直交するようにシャフト５２が貫通して設けられ、ハンドル５３、シャフト５２がともにフレーム５５に回動自在に設けられる。ペダル２５はペダルシャフト２６とクランプ３１が接続する一端に設けられ、ハンドル５３の下端の軸座５１上に回動自在に支持される。
【００４５】
また、この考案のエクササイザは、ペダルが小ギヤを駆動することにより大ギヤを回転させて、クランプやクランクを合わせて回転させる。よって、構造が簡単で部品が少ないため、製造コストを抑えることができるとともに、体積が比較的小さく、収納に便利で、占有空間が小さく、且つ部品の接続が簡単なため、壊れにくい。
【００４６】
この考案のエクササイザは、クランクとクランプを介してペダルを回動自在に接続するため、小ギヤ、大ギヤが伝動ベルトで連動して回転することにより、クランクをクランプ、ペダルとともに第１シャフトに沿って回転させる。さらにクランプとペダルの支点は調節可能に設計することができ、ペダルが回転して楕円形の長軸の両端縁部の位置に達すると、クランプが外側に延伸してペダルシャフトが楕円形のルートの最も長い位置に設けられ、楕円形の短軸の両端縁部の位置に達すると、クランプが内側に回転して、ペダルシャフトが楕円形のルートの最も短い位置に設けられる。よって、ペダルが楕円形のルートを描いてスームズに回転する。
【００４７】
前述クランプの長さを変更し、クランプのペダルシャフトを連結する位置を変更することにより、クランプ、クランクが描く楕円形のルートを、薄い偏平状、円形に近い膨らんだ楕円形など弾性を具えたサイズに変更することができ、クランプなどの長さを変更することでより軽い形状に形成することができるとともに、楕円形の形状を変えて負荷を調節することができる。
【００４８】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【図面の簡単な説明】
【００４９】
【図１】この考案のエクササイザを操作した場合に形成される楕円形のルートを示した平面図である。
【図２】この考案のエクササイザの側面の一部を示した拡大側面図である。
【図３】この考案のエクササイザの一部を示した底面図である。
【図４】この考案のエクササイザを操作した場合に形成される楕円形を示した説明図である。
【図５】図４に開示する楕円形の他の形状を示した説明図である。
【図６】この考案のエクササイザを示した斜視図である。
【符号の説明】
【００５０】
１１      楕円形
１２      主軸線
１３      副軸線
２１      骨フレーム
２１１    支持部
２１１’  支持部
２２      大ギヤ
２２’    大ギヤ
２３      小ギヤ
２３’    小ギヤ
２４      第２シャフト
２４’    第２シャフト
２５      ペダル
２５’    ペダル
２６      ペダルシャフト
２６’    ペダルシャフト
２７      クランク
２７’    クランク
２８      第１シャフト
２８’    第１シャフト
２９      伝動ベルト
２９’    伝動ベルト
３１      クランプ
３１’    クランプ
３２      楕円形のルート
３３      位置決め部材
５０      エクササイザ
５１      軸座
５２      シャフト
５３      ハンドル
５５      フレーム
【図１】
0003122377.tif 000003
【図２】
0003122377.tif 000004
【図３】
0003122377.tif 000005
【図４】
0003122377.tif 000006
【図５】
0003122377.tif 000007
【図６】
0003122377.tif 000008